(57)【要約】      （修正有）【課題】組み立てた三次元構造体に対して水平方向から大きな負荷がかかった場合であっても、横部材と接続部材との間で回転作用が生じ難い雨水貯留構造用部材とこれを用いた雨水貯留構造物を提供する。【解決手段】縦部材３と横部材２と、これらを互いに連結する接続部材１とからなり、これらを組み立てて三次元構造体を形成する。横部材の端部の端部突起と、接続部材の外周部の突出部１ｂに形成されている貫通孔１ｃとを係合することにより、横部材２と接続部材１とが接続され、接続部材の突出部１ｂの外周面に上下方向に設けられている外周面縦リブ１ｇの内、少なくとも最も端部側の外周面縦リブ１ｇと、横部材の裏面側端部の端部縦リブとを係合可能とし、横部材の端部突起が接続部材の貫通孔１ｃに上下方向より挿入されると、接続部材の外周面縦リブ１ｇと横部材の端部縦リブとが面接触しながら摺接・案内され係合されるようにする。【選択図】図１
2007239346.tif 000002
【特許請求の範囲】
【請求項１】
所定長さを有する複数のパイプ状をした縦部材と、これら縦部材と共に三次元構造体を組み立てる横部材と、前記縦部材と前記横部材とに接続可能で、かつ前記縦部材と横部材とを互いに連結する接続部材とからなり、前記縦部材と横部材と接続部材とを組み立てて三次元構造体を形成し、その内部に空間を形成可能にする雨水貯留構造用部材において、
前記横部材の端部に設けられている端部突起と、前記接続部材の外周部に設けられている突出部に形成されている貫通孔とが係合することにより、前記横部材と接続部材とが接続されるようになっていると共に、前記接続部材の突出部の外周面に上下方向に設けられている外周面縦リブの内、少なくとも最も端部側に設けられている外周面縦リブと、前記横部材の裏面側端部に設けられている端部縦リブとが係合可能になっていて、前記横部材の端部突起が前記接続部材の貫通孔に上下方向より挿入されると、前記接続部材の外周面縦リブと前記横部材の端部縦リブとが面接触しながら摺接・案内され係合することを特徴とする雨水貯留構造用部材。
【請求項２】
前記接続部材の突出部の内周面に、上下方向に沿って突出する突条部が複数個形成されていると共に、
前記横部材の端部突起の外周面の根元近傍が幾分大径になるよう傾斜しており、前記端部突起が前記接続部材の貫通孔に挿入されると、前記端部突起の外周面が前記突出部の突条部と、前記端部突起の根元箇所において接触し弾性係合可能になっている請求項１の雨水貯留構造用部材。
【請求項３】
前記接続部材は、隣接する前記各突出部どうしの間に張出部が形成されていると共に、この張出部の上段側に幾分突出した張出突出部が形成されていて、この張出突出部が前記横部材に形成されている垂壁の端面側の凹みと嵌合可能になっている請求項１又は２の雨水貯留構造用部材。
【請求項４】
請求項１〜３のいずれか１項記載の雨水貯留構造用部材から組み立てられた三次元構造体を備え、この三次元構造体の上面側に被覆層が設けられる雨水貯留構造物。
【発明の詳細な説明】
【技術分野】
【０００１】
本発明は雨水貯留構造用部材とこれを用いた雨水貯留構造物に関し、詳しくは、所定長さを有する複数のパイプ状をした縦部材と、これら縦部材と共に三次元構造体を組み立てる横部材と、前記縦部材と前記横部材とに接続可能で、かつ前記縦部材と横部材とを互いに連結する接続部材とからなり、前記縦部材と横部材と接続部材とを組み立てて三次元構造体を形成し、その内部に空間を形成可能にする雨水貯留構造用部材とこれを用いた雨水貯留構造物に関する。
【背景技術】
【０００２】
近年、特に都市部で異常降雨や出水、あるいはその逆の異常乾燥といった問題が頻繁に生じており、その原因としてヒートアイランド現象が取り上げられている。かかる現象を緩和するため、雨水を利用する施設の構築が提案されており、雨水貯留構造物あるいは雨水貯留用充填材などの開発が進んでいる。
【０００３】
このような雨水貯留構造物として、例えば、地面にピットを堀り、その外表面に遮水シートを敷設して、その上面に複数の容器状部材を縦横および上下に積み上げ、更に最上部に覆土などを施して被覆し、雨水を貯留する構造物の発明がなされている（特許文献１）。
【０００４】
あるいは、中空体である複数の着脱自在支柱を、連結部材によって垂直に固定してなる雨水貯留用充填材であって、連結部材が着脱自在の連結桟および縁枠により一体的に連結する等して、運搬中における隅部での支柱の脱落を防止できるようにした発明がなされている（特許文献２）。
【０００５】
容器状部材や着脱自在支柱と連結部材とからなる雨水貯留用充填材を使用しており、点検用の十分な広さの開口部が形成されていないため、保守点検は実質上できず、永年の使用により土砂が蓄積して所定の機能を発揮し得なくなった場合にも、清掃作業は容易でなく、機能を復帰させることはできない。
【０００６】
のみならず、上記従来技術の容器状部材や充填材を運搬する場合は、これらが雨水を貯留するための大きな空間を内蔵して嵩張るため、搬送量の割に輸送コストが高くかかるという問題がある。しかも、これらの容器状部材や充填材は形状が固定されているため、雨水貯留浸透槽の形状に対して柔軟に対応できないという問題もある。
【０００７】
そこで、本発明者らは、大きい開口部を確保できて保守点検が容易であり、しかも個々の構成部材から組立を容易にして、現地での組立を可能にすることにより輸送コストを低減でき、かつ雨水貯留浸透槽の形状に対して柔軟に対応可能な雨水貯留構造用部材として、所定長さを有する複数の樹脂製パイプ状部材と連結部材（接続部材）とを連結して三次元構造体に組み立て可能とし、その内部に空間を形成する雨水貯留構造用部材を提案した。
【０００８】
【特許文献１】特開昭６３−２６８８２３号公報
【特許文献２】特開２００４−１９２０５号公報
【発明の開示】
【発明が解決しようとする課題】
【０００９】
しかしながら、組み立てた三次元構造体に対して水平方向から大きな負荷がかかった場合、横部材と接続部材との間で幾分回転作用が生じるという問題があり、不測の事態に対処可能にするため一層強度を高めることが要請される。
【００１０】
従って、本発明の目的は、上記従来技術の有する問題点に鑑みて、組み立てた三次元構造体に対して水平方向から大きな負荷がかかった場合であっても、横部材と接続部材との間で回転作用が生じ難い雨水貯留構造用部材とこれを用いた雨水貯留構造物を提供することにある。
【課題を解決するための手段】
【００１１】
上記課題は、各請求項記載の発明により達成される。すなわち、本発明に係る雨水貯留構造用部材の特徴構成は、所定長さを有する複数のパイプ状をした縦部材と、これら縦部材と共に三次元構造体を組み立てる横部材と、前記縦部材と前記横部材とに接続可能で、かつ前記縦部材と横部材とを互いに連結する接続部材とからなり、前記縦部材と横部材と接続部材とを組み立てて三次元構造体を形成し、その内部に空間を形成可能にするものにおいて、前記横部材の端部に設けられている端部突起と、前記接続部材の外周部に設けられている突出部に形成されている貫通孔とが係合することにより、前記横部材と接続部材とが接続されるようになっていると共に、前記接続部材の突出部の外周面に上下方向に設けられている外周面縦リブの内、少なくとも最も端部側に設けられている外周面縦リブと、前記横部材の裏面側端部に設けられている端部縦リブとが係合可能になっていて、前記横部材の端部突起が前記接続部材の貫通孔に上下方向より挿入されると、前記接続部材の外周面縦リブと前記横部材の端部縦リブとが面接触しながら摺接・案内され係合することにある。
【００１２】
この構成によれば、横部材と接続部材との接続に際して、接続部材の外周面縦リブと横部材の端部縦リブとが面接触しながら摺接・案内され係合することから、接続部材の外周面縦リブと横部材の端部縦リブとが一体的係合となり、横部材と接続部材との間で回転作用が生じ難くなると共に、水平方向からの負荷に対して、大きな変形抵抗を発揮し得る。しかも、横部材と接続部材との接続作業に困難性はなく、作業効率を低下させることがない。
【００１３】
その結果、組み立てた三次元構造体に対して水平方向から大きな負荷がかかった場合であっても、横部材と接続部材との間で回転作用が生じ難い雨水貯留構造用部材を提供することができた。
【００１４】
前記接続部材の突出部の内周面に、上下方向に沿って突出する突条部が複数個形成されていると共に、前記横部材の端部突起の外周面の根元近傍が幾分大径になるよう傾斜しており、前記端部突起が前記接続部材の貫通孔に挿入されると、前記端部突起の外周面が前記突出部の突条部と、前記端部突起の根元箇所において接触し弾性係合可能になっていることが好ましい。
【００１５】
この構成によれば、横部材の端部突起が接続部材の貫通孔に上下方向より挿入されて係合する際、上下方向からの係合は比較的容易であるが、一旦両者が係合すると、容易には抜け出し難くなり、一層強固な雨水貯留構造物を形成することができる。
【００１６】
前記接続部材は、隣接する前記各突出部どうしの間に張出部が形成されていると共に、この張出部の上段側に幾分突出した張出突出部が形成されていて、この張出突出部が前記横部材に形成されている垂壁の端面側の凹みと嵌合可能になっていることが好ましい。
【００１７】
この構成によれば、横部材と接続部材とを接続すると、両者の一体性が強化され、水平方向からの過大な負荷に対して一層大きな抵抗を発揮し得ると共に、接続部材の周りを横部材が回転し難くなる。
【００１８】
また、本発明に係る雨水貯留構造物の特徴構成は、請求項１〜３のいずれか１項記載の雨水貯留構造用部材から組み立てられた三次元構造体を備え、この三次元構造体の上面側に被覆層が設けられることにある。
【００１９】
この構成によれば、組み立てた三次元構造体に対して水平方向から大きな負荷がかかった場合であっても、横部材と接続部材との間で回転作用が生じ難い雨水貯留構造用部材を用いた雨水貯留構造物を提供することができる。
【発明を実施するための最良の形態】
【００２０】
本発明に係る実施形態を、図面を参照して詳細に説明する。図１は、本実施形態に係る雨水貯留構造用組立部材として使用する接続部材１と横部材２とパイプ状をした縦部材３とを組み立てた単位ブロックの斜視図を示す。図２は横部材２の上面方向からみた斜視図、図３は、図２の横部材の底面側からみた斜視図を示し、図４は雨水貯留構造用組立部材を構成する横部材と接続部材との接続構造の組み立て途中を示す斜視図、図５は接続部材の裏面から見た斜視図である。
【００２１】
接続部材１は樹脂製であり、図１に示すように、縦部材３に外嵌可能な筒状部１ａと、外周面の４箇所から突出して横部材２の端部と係合して両者を接続する突出部１ｂを有していて、突出部１ｂには、後述する横部材２の端部突起２ａを受け入れて係合する貫通孔１ｃが４箇形成されていると共に、突出部１ｂの内周面にも、互いに略９０°隔てた位置に上下方向に沿って突出する突条部１ｂ１が、複数個（図５では３箇）形成されている。更に、筒状部１ａ内部にも、やや小径の貫通孔が形成されて重量軽減が図られていると共に、雨水を下方に移動させて貯留させるようになっている。
【００２２】
縦部材３は樹脂製からなり、所定長さを有する円筒形をしており、接続部材１の筒状部１ａに内嵌可能になっている。縦部材３の外周面に、その上下方向に沿って補強用の縦方向リブの複数個を、円周方向に略等間隔で設けてもよい。
【００２３】
横部材２も樹脂製であり、図２，３に示すように、接続部材１の貫通孔１ｃに上下方向より挿入されて係合する端部突起２ａを、裏面側の両端部に下向きに形成していると共に、端部突起２ａ間は下方に向けて開口された凹部２ｂが形成されている。この場合、横部材２の端部突起２ａが接続部材１の貫通孔１ｃに上下方向より挿入されて係合する際、上下方向からの係合は比較的容易であるが、一旦両者が係合すると、容易には抜け出し難い構造になっている。
【００２４】
すなわち、横部材の端部突起２ａの外周面は、図３に見られるように、根元近傍が幾分大径になるよう傾斜しており、しかも根元部断面が裾拡がりの円弧状に形成されていて、端部突起２ａが接続部材１の貫通孔１ｃに挿入されると、端部突起２ａの外周面が突出部１ｂの内周側に形成されている突条部１ｂ１と、端部突起２ａの根元箇所において接触・係合し、弾性変形を伴いつつ端部突起２ａが突出部１ｂの内奥に弾性係合し固定される。その結果、横部材の端部突起２ａが接続部材１の貫通孔１ｃに上下方向より挿入される際には、上下方向から押し込むだけでよいのに対して、一旦両者が係合され固定されると、弾性変形を伴う押圧作用が働くため、容易には抜け出し難い構造となる。もとより、両者は解除不能ではなく、適宜工具を用いて力を加えることにより係合を解除することができる。
【００２５】
横部材の裏面側の凹部２ｂには、長手方向にわたり、２本の所定間隔を空けて補強用の長手方向リブ２ｃが設けられていると共に、短辺方向にも数箇所（図３では３箇所）補強用の短辺リブ２ｄが設けられていて、凹部２ｂを区画している。長手方向リブ２ｃを設けていることにより、横部材２の長手方向から作用する圧縮力に対して大きな強度を発揮し得、短辺リブ２ｄを設けていることにより、横部材２に作用するねじれ方向の外力に対して耐久力を発揮し得る。
【００２６】
これら長手方向リブ２ｃ、短辺リブ２ｄの高さは、凹部２ｂを形成する長手方向垂壁２ｅの高さと略同等な長さになっていて、変形に対する高い抵抗力を発揮可能になっている。もっとも、長手方向リブ２ｃ、短辺リブ２ｄの高さは、凹部２ｂを形成する長手方向垂壁２ｅの高さより幾分低く形成されていてもよい。その場合は、重量軽減が図れる。このように、横部材２の長手方向にわたる浅い凹溝２ｈが形成されている表面側の天面の強度と、上記長手方向リブ２ｃ、短辺リブ２ｄの強度バランスが形成されている。もっとも、補強用のリブ２ｃの数、位置、形状などは種々に変更可能である。長手方向垂壁２ｅの壁面は長さ方向にわたり平滑面になっており、水平方向から大きな負荷がかかったとしても、長手方向垂壁２ｅから破壊の起点が発生し難く、それだけ強度が高くなっている。また、横部材２の表面側の天面には、図２に示すように、多数の水抜き用貫通孔２ｆが所定間隔を空けて穿たれている。
【００２７】
次に、図４〜６を参照して、接続部材１と横部材２との接続機構を、より詳しく説明する。接続部材１は、隣接する各突出部１ｂどうしの間に張出部１ｄが４箇所形成されていると共に、上下の筒状部１ａに縦溝１ｅが４箇所形成されており、更に張出部１ｄの上段側に幾分突出した張出突出部１ｆが形成されている。各突出部１ｂ間に張出部１ｄが４箇所形成されていることから、横部材２を接続した際、横部材２が水平方向に回転するのを防止でき（廻り止め機構）、施工作業を行うに当たり、横部材２が不用意に回転移動しないので、作業がし易くなると共に、施工作業時に横部材の下方へのたわみを抑制する効果を発揮する。
【００２８】
接続部材１が、このように構成されていることから、上下の筒状部１ａに縦部材を嵌合する際に、筒状部１ａが適度に拡径変形するので、縦部材の設計自由度が幾分高くなると共に、縦部材の寸法融通性が高くなり、施工作業性が向上する。更に、横部材２との接続に対しても、横部材２に形成されている垂壁２ｅの端面側の凹み２ｇと、接続部材１の張出部１ｄの上段側に形成されている張出突出部１ｆとが嵌合し、接続部材１と横部材２との接続が一層強固になり、雨水貯留構造用組立部材を組み立てた雨水貯留構造用組立物Ａの強度が顕著に向上する。接続部材１と横部材２との接続は、図４（接続前）の状態から、矢印Ｒに示すように、上方から横部材２を降下させて接続状態とする。
【００２９】
この場合、接続部材の各突出部１ｂの外周面左右において、張出部１ｄの外周面と略平行に突出する外周面縦リブ１ｇが設けられており、この外周面縦リブ１ｇが、横部材２の両端面近傍に形成されている短辺リブ２ｉより端面側に設けられ、端部突起２ａに対面するように、横部材端部内側で縦方向に突起状に設けられている複数個（図３には４個設けた例を示している）の端部縦リブ２ｊの内、最も端部側に設けられている端部縦リブ２ｊと、図６に示すように、面接触して係合するようになっている。外周面縦リブ１ｇの厚みは、端部縦リブ２ｊの略２倍程度の厚みとなっていて、上下方向から横部材２を接続部材１に係合させる際、横部材２の端部突起２ａが接続部材１の貫通孔１ｃに上下方向より挿入されると、外周面縦リブ１ｇと端部縦リブ２ｊとが面接触しながら摺接・案内され係合することになり、挿入が容易確実で、しかも挿入した後、横部材２と接続部材１とがぐらつかないため一体性が向上し、水平方向からの過大な負荷に対しても大きな変形抵抗力を発揮し得る。
【００３０】
更に、横部材２の表面側の天面には、図４に示すように、長手方向にわたる浅い凹溝２ｈが形成されており、その底部に水抜き用貫通孔２ｆが形成されているが、凹溝２ｈの形状、数などは適宜変更でき、水抜き用貫通孔２ｆの数、径などについても適宜変更できる。もっとも、凹溝の形状を単なる円弧状にする場合に比べて、波状に形成すると、特に水平方向の変形に対する強度が高まる。
【００３１】
以上に説明したように、立設された各縦部材３の上端に接続部材１を嵌合して装着しておき、２本の縦部材３に装着された各接続部材１どうしの内、互いに隣接する２個の接続部材１の貫通孔１ｃの夫々に、横部材２の端部突起２ａを挿入させて嵌合することにより、縦部材３と横部材２とを接続して、これを繰り返えし、ジャングルジム状に三次元構造体を構成する雨水貯留構造用組立物Ａを形成する。
【００３２】
三次元構造体である雨水貯留構造用組立物Ａは、少なくとも１０８ｋＮ／ｍ2以上の上下方向から圧縮強度を有することが好ましい。このようにすれば、最上部に覆土２ｍ程度（負荷：約３６ｋＮ／ｍ2 ）を施工したとしても、土圧の３倍以上となる十分な強度を有する。具体的には、長さ約４０ｃｍの縦部材と長さ４０ｃｍの横部材を組み合わせる場合に６．２５本／ｍ2 となり、少なくとも上下方向からの圧縮強度約１７．２８ｋＮ／本を有する縦部材を用いる。
【００３３】
このようにすることにより、一旦雨水を貯留して、庭園などへの散水、洗浄水、非常用水など各種用途に利用したり、大量の雨水を徐々に放流できるような調整機能を備えさせたりすることができる。しかも、コンクリートで構成する場合に比べて、養生期間などが不要であることから、雨水貯留構造物の構築速度を格段に早くすることができる。
【００３４】
＜施工例＞
つぎに、本実施形態に係る雨水貯留構造用組立部材を組み立てた雨水貯留構造用組立物Ａを、雨水貯留構造物に施工する例について、図７を参照して説明する。
【００３５】
雨水貯留構造物を形成するに当たり、まず地面に１〜５ｍ程度の地面凹部（以下、ピットということがある）を掘削・形成すると共に、ピット周囲に側溝７を形成し、ピットの底面に砕石、砂などを敷設・施工し平準化して基礎Ｂを形成する。その表面に遮水材である遮水シート４を敷設した後、樹脂製の各縦部材３と接続部材１とから、図１に示す単位ブロックを形成しつつ、更に継ぎ足し拡張して、ピットの内容積に応じジャングルジム状の雨水貯留構造用組立物Ａを配置する。ピットの内容積が大きい場合には、ピット内で雨水貯留構造用組立物Ａを組み立ててもよいし、雨水貯留構造用組立物Ａをピット外で組み立てた後、ピット内に配置するようにしてもよい。このようにして組み立てた雨水貯留構造用組立物Ａは、樹脂製あるいは金属製などのベルトで締結固定されることが好ましい。
【００３６】
ついで、ピット内に配置された雨水貯留構造用組立物Ａの側面部は、必要に応じて埋め戻しＣを行うと共に、側溝７よりピット内に雨水を流し込み可能に連通する配管８を敷設し、更に、上面に遮水シート５を被覆し、その上から０．５〜１ｍ程度の土砂を被覆して覆土６とする。これら、上面の遮水シート５、覆土６などは、被覆層を形成する。また、これら被覆層６の複数箇所には、点検孔が設けられていてもよい。なお、雨水貯留構造用組立物Ａ上面に遮水シート５を被覆する代わりに、透水性シートを被覆して雨水を浸透させるようにしてもよい。側溝７は、その底部に泥溜９が形成されるように、底部が幾分深くなっている。
【実施例】
【００３７】
図１に示すような外径約６０ｍｍ、肉厚約４．０ｍｍ、長さ約４０ｃｍのポリプロピレン製パイプ状縦部材（東洋ゴム工業社製）、長さ約４０ｃｍのポリプロピレン製横部材および接続部材を用い、図１にその一部を示すような、高さ約１．６ｍ、縦横約２．４ｍの雨水貯留構造組立物Ａを形成し、深さ約３．５ｍの所定内容積を有するピット内に配置し、雨水貯留構造物を構築した。このポリプロピレン製パイプ状縦部材は、長さ方向の圧縮強度約１４０ｋＮ／４本（３５ｋＮ／本）を有しており、１ｍ2当たり６．２５本を使用すると、圧縮強度約２１９ｋＮ／ｍ2が得られ、覆土を２ｍ（負荷：約３６ｋＮ／ｍ2）とした場合でも、約６倍強の圧縮強度が得られるので、十分に実用的であることがわかる。
【００３８】
また、水平方向から１０％変形（高さ１６０ｃｍに対して１６ｃｍの変形）を加えた場合でも、横部材と接続部材との間で破壊や外れを生じることがなかった。
【００３９】
実際、０．８ｍ×０．４ｍ×０．４ｍ（１ユニット０．４ｍピッチのため）の大きさで雨水貯留構造物を構築し、その上から２ｍの覆土に相当する重錘を載置して１年以上経過したが、使用上問題となる変形その他のトラブルは一切生じなかった。
【００４０】
〔別実施の形態〕
（１）上記実施形態の雨水貯留構造物において、雨水貯留構造用組立物Ａの内部に貯留された雨水を対流させる対流生成機構が、点検孔を介して挿入可能に構成されていてもよい。対流生成機構としては、例えば、軸先端にスクリュー装置が設けられて、これを雨水貯留構造用組立物Ａの内部に挿入し、電動機などによりスクリュー装置を駆動させる構成が考えられる。
【００４１】
この対流生成機構により、貯留されている雨水を撹拌・対流させ、雨水貯留構造用組立物Ａに付着している土砂などを底部に落下させると共に、これらの土砂および底部に堆積している土砂などを他方側に向けて押しやるようにする。そして、雨水貯留構造用組立物Ａの配置されている他方側に予め形成した、ピットの底部より低い凹所に土砂を集めた後、別の点検孔を介して、長尺のホース等を有して凹所に挿入可能なバキューム装置を用いて、土砂を吸引し外部に排出する。このようにすると、雨水貯留構造物に堆積した土砂を効果的に排出して、貯留した雨水を清浄にでき、雨水の利用範囲が拡大する。
【００４２】
（２）更に、雨水貯留構造用組立物Ａの内部に点検孔を介して曝気装置を挿入可能に構成されていてもよい。このようにすると、内部に貯留されている雨水に新鮮空気を取り入れて適宜曝気させ、酸化させることにより、雨水の清浄化を図り、水質の悪化を防止できる。
【００４３】
（３）上記対流生成機構、曝気装置を、それぞれ着脱自在の構成としてもよいし、雨水貯留構造物に固定してもよく、これらに用いる動力源としては、商用電源の他、可搬式の発電装置や、各種一次電池、二次電池などの電池を使用することができ、更には雨水貯留構造物の地上部に太陽電池発電装置や風力発電装置などを設けて、これから得られた電力を使用するようにしてもよい。
【００４４】
（４）上記実施形態の場合、樹脂製パイプ状をした縦部材の構成材料としてポリプロピレン製を例示したが、これに限定されるものではなく、ポリエチレン、ポリ塩化ビニル、ＰＥＴ（ポリエチレンテレフタレート）等を使用してもよいし、必要な強度が得られれば、各種の熱可塑性樹脂を使用することができる。更に、縦部材として、樹脂製に代えてステンレス鋼などの金属製パイプとすることもでき、樹脂製縦部材の内部にコンクリートを注入したり、あるいは鉄筋コンクリートを挿入したりして補強してもよい。
【００４５】
（５）上記実施形態では、縦部材３を接続部材１の筒状部１ａに内嵌可能に構成した例を示したが、接続部材１の筒状部１Ａの外径を小さくして、縦部材３に内嵌させるようにしてもよい。
【００４６】
（６）縦部材、横部材、接続部材とは、同じ材質の樹脂製としてもよいが、異なる材質の樹脂製であってもよい。
【００４７】
（７）樹脂製縦部材、横部材、接続部材の構成材料に、粉体状の炭酸カルシウム（炭カル）等を混入させるようにしてもよい。このようにすると、構成材料の比重を大きくすることができ、雨水を貯留する際に生じる浮力に抗することができ、浮力対策として特別な施工が不必要となり、小さいスペースでもより大きい貯水量が確保できて好ましい。具体的には、１３％程度の炭カルを樹脂に混入させることにより、比重を１．０以上にすることができる。
【００４８】
（８）上記構成材料に混入させる場合、炭カルに代えて、タルク、硫酸バリウムなどのウィスカーを混入させるようにしてもよい。これらは、炭カルに比べてアスペクト比が大きく、強度を高める効果が大きい。更に、ガラス繊維を上記構成部材に混入させても良い。ガラス繊維は、構成部材の比重を高めるだけでなく、強度、寸法安定性をも高めることができて好ましい。例えば、ガラス繊維を４．６ｗｔ％添加（２０ｗｔ％マスターバッチ１００に対して３０部添加）すると、比重は０．０３高くなり、強度は１５％向上し、成型時に収縮率は０．４％改善する。
【図面の簡単な説明】
【００４９】
【図１】本発明の一実施形態に係る雨水貯留構造用組立部材の単位ブロックを示す斜視図
【図２】図１の雨水貯留構造用組立部材を構成する横部材の上面方向からみた斜視図
【図３】図２の横部材の底面側からみた斜視図
【図４】雨水貯留構造用組立部材を構成する横部材と接続部材との接続途中を示す斜視図
【図５】接続部材の裏面側から見た斜視図
【図６】接続部材と１の横部材との結合を裏面側から見た部分平面図
【図７】本発明の一実施形態に係る雨水貯留構造用組立部材を用いた雨水貯留構造物の概略正面断面図
【符号の説明】
【００５０】
１        接続部材
１ｂ      突出部
１ｂ１    突条部
１ｃ      貫通孔
１ｄ      張出部
１ｆ      張出突出部
１ｇ      外周面縦リブ
２        横部材
２ａ      端部突起
２ｇ      凹み
２ｊ      端部縦リブ
３        縦部材
６        被覆層
Ａ        三次元構造体
【図１】
2007239346.tif 000003
【図２】
2007239346.tif 000004
【図３】
2007239346.tif 000005
【図４】
2007239346.tif 000006
【図５】
2007239346.tif 000007
【図６】
2007239346.tif 000008
【図７】
2007239346.tif 000009